(57)【要約】      （修正有）【課題】製作・設置する上で費用や手間がかからず、止水作用も所要に有効発揮される普及型の止水装置の提供。【解決手段】構造物の左右の側壁１、２前面と両側壁間に形成された出入口３の下側前面とに亘り、立面状に張設されるとともに左右各端部が側壁１、２前面に設けられたシート端部受面８ａの表面に密着して脱着可能に固定されるようになっているシート主部１６と主部の下端より前方へ伸びて出入口３と両側壁の前方基盤上に密着可能とされる下部舌片１７とを有する止水シート１５を主たる部材として有するとともに、シート主部１６の左右各端部を側壁側に密着状にして固定可能な上固定手段８、９と、下部舌片１７の左右各端部を前方基盤６側に密着状にして固定可能な下固定手段１２とを備える。【選択図】図３
2020016136.tif 000002
【特許請求の範囲】
【請求項１】
構造物の左右の側壁前面と両側壁間に形成された出入口の下側前面とに亘るべく立面状に張設されるとともに左右各端部が前記側壁前面に設けられたシート端部受面の表面に密着して脱着可能に固定されるようになっているシート主部と該主部の下端より前方へ伸びて出入口と両側壁の前方基盤上に密着可能とされる下部舌片とを有する止水シートを主たる部材として有するとともに、シート主部の左右各端部を側壁側に密着状にして固定可能な上固定手段と、下部舌片の左右各端部を前方基盤側に密着状にして固定可能な下固定手段とを備え、該止水シートは、平時は、シート主部と下部舌片とを折り畳んで巻装状態にして構造物の内外いずれかの位置に待機可能とさせ得る一方、非常時には巻装状態を展開して下部舌片は前方基盤上にシート主部は両側壁から出入口へと遮蔽状態とすべく下固定手段および上固定手段を介して固定設置可能に構成されていることを特徴とする止水装置。
【発明の詳細な説明】
【技術分野】
【０００１】  本発明は、ビル、工場、倉庫、店舗、地下施設などのような各種建造物の出入口を対象にして構成されるもので、集中豪雨や津波、高波などにより襲来する水を堰き止めて浸水による被害をなくすようにするための止水装置に関する。
【背景技術】
【０００２】  集中豪雨時のように雨量が一定限を超えると平地での内水氾濫や河川を通じての外水氾濫が発生して出入口や隙間などを通じて建造物や各種施設内に浸入し甚大な被害を及ぼすことになる。そうした被害を激減させるため、特許文献１のような防水（止水）装置についての発明がなされている。【０００３】
【特許文献１】特開２００４−１６２２６０
【発明の概要】
【発明が解決しようとする課題】
【０００４】  特許文献１に開示されたものは構造物入口の防水装置についてのもので、構造物ＢＬの入口Ｉ側に開放した単一の溝状凹部Ｍａを有して該入口Ｉの相対向する左右両側壁面Ｗに沿設された左右一対の主支柱Ｍと、その左右一対の主支柱Ｍ側に各々開放した互いに逆向きの一対の溝状凹部Ｓａを有して、その両主支柱Ｍ間の床面Ｆ上に着脱可能に立設し得る補助支柱Ｓと、相隣なる２個の支柱の溝状凹部Ｍａ、Ｓａ：Ｓａ、Ｓａ間に左右両端部を嵌合支持し得る複数の防水板Ｔを備え、それら防水板Ｔは、平時は構造物入口Ｉの周辺の排水溝１の溝蓋として機能すべく、該排水溝１の長手方向に沿って互いに縦列配置され且つ該排水溝１の開口部両側縁に各々係合載置されて床面と面一であることを特徴とする。
前記防水装置は、入口Ｉの前方に、防水板Ｔ…を平時回避セットしておくための排水溝１を形成しておく必要があるため、大掛かりな溝工事が必要になって高くつくだけでなく、防水板Ｔ…は、平時において排水溝１の溝蓋として配列使用されるものであることから、溝蓋としての負荷に耐えるに充分な強度をもつ金属製の板や枠体などで造ることが必要があり、そのことから緊急時にこれら防水板Ｔ…を閉鎖状態にセットしたりその閉鎖から元の蓋使用状態に戻す場合に重くて作業を迅速に進めることができない。また、緊急時に防水板Ｔ…を外して閉鎖状態にセットしたあとは排水溝１は開放状態になるため、その後洪水になった場合、視えない排水溝１に通りかかった人がはまって危険なものである。
そうしたことから、本出願人は、構造物の側壁の前面を利用して巻取り・繰出しを可能にした止水装置を発明した。その止水装置は、一方と他方の左右一対の側壁間に形成された出入口に開閉自在に設けられて閉時に止水をするようにした止水装置であって、一方を基部としてその基部には外部に突出する外ケースが設けられるとともに、この外ケース内には、アラミド繊維や炭素繊維などの強化繊維を主たる層として止水可能に作製した止水シートが繰出自在に巻取装備され、他方には前記止水シートが繰り出されて固定可能とされていることを特徴とするものである。
この止水装置は、洪水や津波などの緊急水害時に迅速かつ容易に止水態勢をとることができまたその後止水態勢から迅速かつ容易に回避態勢をとることができるだけでなく、前記のように溝工事が不要でまた洪水時に通りかかった人が溝に落ち込むといったおそれがないなど有用さがある。
しかし、この止水装置は、ケース支枠・裏取付板・上下支持板・開閉蓋型ケース本体などでなる外ケースと、止水シートを巻取り・繰出し可能とするための巻取軸・巻取りレバー・上下軸受等の巻取・繰出手段との組み合わせからなるもので、それらの製作・設置をする費用・手間がかかり、安価でかつ簡単に設備することができるものとは言えなかった。【０００５】  本発明は、このような問題を解決しようとするものであり、製作・設置する上で費用や手間がかからず、止水作用も所要に有効発揮される普及型の止水装置を提供することを目的とする。
【課題を解決するための手段】
【０００６】  本発明は上記目的を達成するため、請求項１に記載の発明は、構造物の左右の側壁前面と両側壁間に形成された出入口の下側前面とに亘るべく立面状に張設されるとともに左右各端部が前記側壁前面に設けられたシート端部受面の表面に密着して脱着可能に固定されるようになっているシート主部と該主部の下端より前方へ伸びて出入口と両側壁の前方基盤上に密着可能とされる下部舌片とを有する止水シートを主たる部材として有するとともに、シート主部の左右各端部を側壁側に密着状にして固定可能な上固定手段と、下部舌片の左右各端部を前方基盤側に密着状にして固定可能な下固定手段とを備え、該止水シートは、平時は、シート主部と下部舌片とを折り畳んで巻装状態にして構造物の内外いずれかの位置に待機可能とさせ得る一方、非常時には巻装状態を展開して下部舌片は前方基盤上にシート主部は両側壁から出入口へと遮蔽状態とすべく下固定手段および上固定手段を介して固定設置可能に構成されていることを特徴とする。
【発明の効果】
【０００７】  上述したように本発明は、構造物の左右の側壁前面と両側壁間に形成された出入口の下側前面とに亘るべく立面状に張設されるとともに左右各端部が前記側壁前面に設けられたシート端部受面の表面に密着して脱着可能に固定されるようになっているシート主部と該主部の下端より前方へ伸びて出入口と両側壁の前方基盤上に密着可能とされる下部舌片とを有する止水シートを主たる部材として有するとともに、シート主部の左右各端部を側壁側に密着状にして固定可能な上固定手段と、下部舌片の左右各端部を前方基盤側に密着状にして固定可能な下固定手段とを備え、該止水シートは、平時は、シート主部と下部舌片とを折り畳んで巻装状態にして構造物の内外いずれかの位置に待機可能とさせ得る一方、非常時には巻装状態を展開して下部舌片は前方基盤上にシート主部は両側壁から出入口へと遮蔽状態とすべく下固定手段および上固定手段を介して固定設置可能に構成されていることを特徴とするので、製作・設置する上で費用や手間がかからず、止水作用も所要に有効発揮される普及型の止水装置を提供することができる。
【図面の簡単な説明】
【０００８】
【図１】  本発明の一実施形態である止水装置を閉状態で示す図２のＡ−Ａ線に対応する横断平面図。
【図２】  図１の正面図。
【図３】  図１、図２の閉状態の止水装置を示す斜視図。
【図４】  止水シートのみを取り出して示す側面図。
【図５】  止水シートのシート主部を立ち上げあるいは折り畳む状態を示す斜視図。
【図６】  止水シートを待機させた状態を示す斜視図。
【図７】  他の実施形態を示す斜視図。
【図８】  図７のＢ−Ｂ線拡大断面図。
【図９】  他の実施形態を示す斜視図。
【図１０】  他の実施形態を示す側断面図。
【図１１】  他の実施形態を示す斜視分解図。
【図１２】  他の実施形態を示す斜視透視図。
【図１３】  他の実施形態を示す断面図。
【図１４】  他の実施形態を示す断面図。
【図１５】  付加的な提案例を図１６のＣ−Ｃ線に対応して示す断面図。
【図１６】  図１５の右側からみた正面図。
【図１７】  他の付加的な提案例を示す斜視図。
【図１８】  他の付加的な提案例の従来例を示す斜視図。
【図１９】  他の付加的な提案例を図２０のＤ−Ｄ線に対応して示す縦断面図。
【図２０】  図１９のＥ−Ｅ線拡大断面図。
【図２１】  他の付加的な提案例を示す斜視図。
【図２２】  他の付加的な提案例を示す斜視図。
【発明を実施するための形態】
【０００９】  図１ないし図６は本発明である止水装置の一実施形態を示すもので、１は工場（構造物）の一方（向かって右側）の側壁、２は他方（左側）の側壁であり、それらの間には約４ｍ幅の出入口３が形成されており、その出入口３の奥側には電動式のシャッター４が設けられている。シャッター４は手動式であったり、他の開閉手段、例えば、ドアや引き戸などとされる場合がある。この実施形態の止水装置ではシャッター４などの開閉手段が構成されないこともある。側壁１，２の幅は５０ｃｍ程度である。
【００１０】  出入口３の下側前面３ａの下方には開口床面５が形成されるとともに、その外側と側壁１，２の下端前方には外部床面である前方基盤６が形成されている。内外の面５，６は水平な同一面になっているが、前方基盤６の方は、外向きに少し下がり傾斜状をなすように形成される場合もある。
【００１１】  一方（右側）の側壁１は止水シートの待機側であるという意味から基部側とされ他方（左側）の側壁２は先側とされる。各側壁１，２の前面１ａ、２ａには、金属や樹脂などにより縦長板状とされたシート端受板８，８が固定されている。このシート端部受板８には、シート端部受面８ａが形成されるとともに上下に複数本をなす上固定ボルト９…が突設されナット（蝶ナット）１０が取り付けられるようになっている。上固定ボルト９・ナット１０は上固定手段を構成している。尚、シート端部受板８を省略して側壁１，２の前面１ａ、２ａ自体がシート端部受面８ａとされることもある。また、側壁１，２の各外側となる面がシート取付面となったりあるいはシート端部受板８の取付面となったりすることがある。
【００１２】  １２は蝶ボルトである下固定ボルトでボルトネジ孔１３…とともに下固定手段を構成する。下固定ボルト１２…は、右側および左側の側壁１，２の前方より外側方へ少し離れた各４個所に一体に植設されたボルトネジ孔１３…へのねじ込みにより下部舌片１７の各端部を脱着自在に固定するようになっている。
【００１３】  １５は止水シートであり、この止水シート１５は、幅（高さ）が１ｍ〜１．５ｍで長さが５ｍ前後のシート主部１６と幅３０ｃｍで長さが５．６ｍの下部舌片１７の折畳可能な１枚シートとされ、ここでは、この止水シート１５は、アラミド繊維（あるいは炭素繊維）による縦横方向への編成シートを主たる層材として有し、それを１枚あるいは複数枚組成するとともに、図示しないがその主たる層材の前面あるいは後面の一方か若しくは前後両面に遮水機能を有する樹脂シート（あるいはフィルム）を一体積層してなるものである。編成シートにゴム質材を一体成形してもよい。前記樹脂シートとしては、ポリエチレン系熱可塑性ポリオレフィンシート、熱可塑性ポリエーテル系ポリウレタンシートやポリプロピレン系熱可塑性ポリオレフィンシートなどの極薄シートが物理的・化学的特性に優れたものとして好適であるがそれに限定されない。
【００１４】  シート主部１６の両端部には図１の右下に示すように薄く縦に長四角な金属あるいは樹脂プレートでなる上内芯板１８が挿通されるとともに上固定ボルト９…に合致するように図３の右上に示す上ボルト孔１９…が開けられている。また、シート主部１６の裏面には、図４に示すように、ワイヤロープなどの上補強線条材２０…が通されてシート主部１６自体の補強がなされることがある。シート主部１６の裏面には、縦向きに長い裏シール２１を設けておいてシート主部１６のシート端部受面８ａへの密着性を高めるようにすることができる。
【００１５】  下部舌片１７の両端には、金属板あるいは樹脂板などによる下内芯板２２が装填されて巻取り可能なもとに補強されており、また、図示はしないが下固定ボルト１２…の位置に合致するように下ボルト孔が開けられている。下部舌片１７の前端袋状部分には、ワイヤロープでなる下引張線条材２３が通されるとともに左右外方に引き出され、その端部にはアンカーボルト２４の通されるボルト通し環２５が設けられてなる。下引張線条材２３は伸縮可能なゴム線材やコイル状線材などにすれば下部舌片１７を圧下させて前方基盤６に密着させるようにすることができる。
【００１６】  下引張線条材２３は、下部舌片１７の先端ではなく図７、図８のように下部舌片１７の基部側に設けると下部舌片１７の密着性が向上する。その際、図８にもその断面を示すように、下部舌片１７の基部底面に非透水質で弾性伸縮性のあるゴムや発泡樹脂などの帯長状底シール２６を設けておいて下引張線条材２３の引張による圧下力により前方基盤６との間の密着性を高めるようにしてもよい。この場合、下引張線条材２３はゴム線材やコイル状線材などにすればより密着度は上がる。２８は回転巻込みリール、２９はそのレバーロックピンで、下引張線条材２３を強く引っ張って底シール２６をより密着させるようにする器具である。下部舌片１７は、図７の左下欄に示すように、細幅状にして一端に下引張線条材２３を結んだ方式にしてもよい。また、図８に示すように、下部舌片１７の基部上側には圧下力を高めるためにロングタイプの土嚢（砂嚢）、バラス嚢などのウエイト３１を載せ付けるようにしてもよい。
只、下部舌片１７を基板６に密着させる前記方法は、一例に過ぎず、前記下引張線条材２３によるもの以外の後述する各種方法がある。
【００１７】  図６は下部舌片１７の基部側一端が下固定ボルト１２…で締付固定された状態でかつ下部舌片１７側にシート主部１６が折り畳まれた状態の止水シート１５が基部側に巻装されいつでも緊急時に展開可能なように待機状態とされている様子を表している。下固定ボルト１２…を外して巻き取った状態の止水シート１５を側壁１前の収納ケース３３内に装填収納し非常時に抜き出して下固定ボルト１２…により固定セットし展開するように構成してもよい。
【００１８】  収納ケース３３は、巻装状態にした止水シート１５の出し入れが容易なように止水シート１５よりも低く（５０〜８０ｃｍ）円（あるいは多角）筒状をした極く簡易なものにするのが好ましい。前記強化繊維による収納袋状のものでもよい。巻き取った止水シート１５は、側壁１，２である構造物の屋内に待機させておき非常時に表側に取り出すようにしてもよい。その場合、止水シート１５を露出状態であるいは収納ケースを介して屋内に設置するようにしておいてもよい。前記収納ケースは止水シート１５を出し入れするだけの樹脂筒や網筒などの簡易型のもので済む。
【００１９】  図６のように巻装した待機状態の止水シート１５に対し豪雨や津波などの非常事態が発生しようとするとき、止水シート１５を図５のように展開して伸ばし、下部舌片１７の他方の端部を下固定ボルト１２…でもって固定するとともに、下引張線条材２３を伸ばして下部舌片１７を前方基盤６上に密着するようにしておき、そのうえで矢印Ｘのようにシート主部１６を立ち上げてのち、その両端の上ボルト孔１９…を上固定ボルト９…に挿し込んでのちナット１０…をねじ込むことで図１ないし図３に示すような水遮蔽である止水状態を得ることができるようになっている。シャッター４は止水シート１５を遮水状態にする前でも後でも閉止可能である。
【００２０】  洪水などが過ぎ去ったあとは、上固定ボルト９…を外すことで図５のようにシート主部１６を前倒しして折り畳んだあと図５の左側の下固定ボルト１２…やアンカーボルト２４を抜き図６のように折り畳んだまま巻装して待機状態に戻すことができるものである。巻装した止水シート１５は図６のようにそのまま横置しておいてもよいが、右の下固定ボルト１２…やアンカーボルト２４などを抜き去ってさらに巻き取ることで収納ケース３３内に装填待機させることもできる。この収納ケース３３は、図６の右側に示すように、いずれか一方の側壁１，２の外部に定置しておいたり、図６の左側に示すように、いずれか一方の側壁１，２の内側に定置しておくことができる。
【００２１】  上固定ボルト１２…は、平時には図１の下欄のように突き出た状態となっていて、そのままにしておくとその近くを通る人が引っ掛かって危険であるが、ヒンジで支持されたＶ字形あるいはＵ字形の保全カバー３５を被せておけば安全になるとともに非常時には同カバー３５を開けてシート端部受板８および上固定ボルト９を露出し使用可能な状態にもすることができる。
下固定ボルト１２やアンカーボルト２４は蝶ボルトとしたが、図３の右下欄に示すように、つば付きリングボルト１２（２４）とし、平時は起倒式リングが倒されることで靴が突っかからないようにまた一方非常時には立ち上げて回し操作可能にすることができる。同図右欄のリングボルト１２（２４）のように、フランジ部を薄肉状にしその上にリング止め用の半環部を備えた低い頭部構造をもつものにすればより突っかかりのないボルトにすることができる。
【００２２】  他の実施形態をここで説明する。
下部舌片１７の密着化のため、図３に仮想線で示すように、金属あるいは樹脂などで形成したフラットバーである押さえ板３７を下部舌片１７の基部側上面に添うように設け、同板３７を押さえボルト３８…により押し付け固定することで構成することができる。下部舌片１７の裏面にはシールを貼付けておいてもよい。前記押さえ板３７を載せる場合、下引張線条材２３は省略することができる。
【００２３】  下部舌片１７の密着化のため、図３の下欄に示すように、シート主部１６の左右幅長さより細長いタイプの土嚢（砂嚢）、バラス嚢などのウエイト４０を下部舌片１７の基部側上面に載せ付けるようにしてもよい。このウエイト４０は複数本使用してもよく、また嚢自体はその一部あるいは全体が透水質のものとすることができる。また、ウエイト４０は、図３の左下に示すように、１ｍなど一定長さ毎に区分け嚢式にして折畳搬送もできるようにしたものにしてもよい。この場合も、押さえ板３７、下引張線条材２３は省略することができる。ウエイト４０は、工場や倉庫内に待機収納しておいたり、側壁１，２の外側に待機収納しておくことができる。
【００２４】  下部舌片１７の密着化のため、図６に示すように、下部舌片１７の裏面に両面粘着テープ４２を貼付しておいて非常時にその剥離紙４２ａを剥がして前方基盤６に粘着固定されるようにしてもよい。この場合も下引張線条材２３は省略することができる。粘着テープ４２は複数本に分割したタイプにしてもよい。また、下部舌片１７には図３のようなウエイト４０を載せ付けるようにすることもできる。
【００２５】  下部舌片１７の密着化のため、図９に示すように、下部舌片１７とシート主部１６とがゴム質あるいは軟質樹脂質で伸縮可能に出来ており、図のように下部舌片１７を引っ張ることにより前方基盤６側に密着するようにしたものであり、この場合、下部舌片１７の裏面に伸縮可能で基盤６に密着可能な裏シール４４を添設しておくと、さらに密着性が良くなるものである。
【００２６】  下部舌片１７の密着化のため、図１０に示すように、前方基盤６の盤内浅い位置にポリアミドコーティングを施したネオジムからなる帯長薄板状のマグネット４６を埋設する一方下部舌片１７の対応する個所にはスチールラバーシートでなる帯長薄板状の吸着板４７を防水密閉処理をして封入してある。マグネット４６も吸着板４７も共に下部舌片１７の長手長に対応する長いものになっている。
【００２７】  また、下部舌片１７の吸着板４７裏面に対応する個所には、同図右上に示すように、ゴム質や軟質樹脂などによるシールパッド４８を付して密着度が上がるようにしてもよい。マグネット４６周りのコンクリート中には高浸透性鉄筋防錆剤（例えば、商品名：ペガサビン）を施してもよい。
マグネット４６と吸着板４７の組は、下部舌片１７の前側にも構成しておけばより密着度が向上する。マグネット４６を下部舌片１７側に、吸着板４７を前方基盤６側に設けてもよい。下部舌片１７側と前方基盤６側の双方を互いに吸着する関係のマグネットで構成してもよい。
【００２８】  下部舌片１７の密着化のため、図１１に示すように、前方基盤６側にマグネット入りゴムマット５０を敷設し、下部舌片１７内にはフラット鉄材（あるいは薄板マグネット）でなる吸着板５１を挿通して互いが吸着で密着して前方からの洪水が遮断されるようにしてある。
【００２９】  下部舌片１７の密着化のため、図１２に示すように、下部舌片１７の内部には土砂や砂などのウエイト５３が入れられている。このウエイト５３入りの下部舌片１７の他、図３に示すようなロングタイプの別体ウエイト４０を載せ付けるようにしてもよい。５４は底シールで設けない場合もある。前記下部舌片１７は図３の左下欄のような仕切式のものにしてもよい。
【００３０】  図１３は、シャッター４の下端である座板５７の底面に底シール５８を貼り付けるとともに座板５７の下方である開口床面５にネジ孔５９を配備しそれにねじ込まれるシャッター止め６０…によりシャッター６０底部の浸水防止を図るようにしたものである。この場合、左欄のように止水シート１５を装備することと省略する場合とがある。
【００３１】  図１４は止水シート１５側の下部舌片１７の後側に、側壁１，２間と同じ幅をもった奥舌片６３を一体突設しておき、この奥舌片６３に対しシャッター閉止時の座板５７が押し付けるように作用することから前方からの浸水が阻止されるようになっているものである。止水シート１５は下部舌片１７・奥舌片６３・シート主部１６を折り畳んだ状態にして巻装可能になっている。この場合、下部舌片１７は省略することもある。６４は前底シール、６５は後底シールである。座板５７は止着具６６で臨時的に止め付けるようにしてもよい。前側の座板５７には座板シール６７を付して奥舌片６３を押下するようにしてもよい。
【００３２】  図１５以降は付加的な提案例を示す。
図１５および図１６の例は、基盤７０にポール７１…の複数本を立設配備しそれらの一側を介してガードレール７２，７２を上下に配したものにおいて、例えば、図１５の右側方である川や海から襲来してくる洪水や高潮などから図の左側方にある道路、住居、田畑あるいは街中や人々を護るようにしたものである。７３はアラミド繊維あるいは炭素繊維などによる強化繊維布、７４は防護パネルで、これらをガードレール７２前に固定しておくことで前記防護が有効に果たせるようにしたものである。既存のものとしてポール７１の前面にはサポート片７５が設けられているが、この例では、最下段のサポート片７６を追加してその前面を介して下向きに長く伸ばした強化繊維布７３および防護パネル７４を取付支持し下周りに亘るまでの広い範囲の防護も可能にしてある。
【００３３】  図１７の例は、これまで土砂崩れ対策として構成されてきたワーヤーネット式防護構造のものに代えてより強力な防護方式を採り入れたものを示してある。即ち、山裾には、多数の杭７８…が打ち込まれており、これらを介して土砂崩れによる力を受けるワイヤーネット７９が張設されているとともに、それだけでなくその山側には予備的に力を受け止めるアラミドや炭素繊維などの強化繊維布８０を１層あるいは複数層取付配備してある。８１は補強脚材である。これらワイヤーネット７９と強化繊維布８０の複合防護構造のものは、山裾以外にその家屋８２側にも設置してより強固な防護ができるようにしてもよいし、家屋８２内のよく生活で利用する空間（寝室など）を護るためその周りに設置しておくこともある。
【００３４】  図１８はワイヤロープ式防護柵（緩衝型のガードケーブルともいう）の従来例を示すもので、８５は座板、８６は中間支柱、８７はワイヤロープ、８８はキャップで、中間支柱８６の中にはゴムあるいは樹脂などによるロープホルダー８９が通されているとともに、これらロープホルダー８９…の複数を通じてワイヤロープ８７…が上下複数段をもって通されている。このタイプの防護柵は、万一事故を発生した際の助かる確率がガードレール式などよりもかなり高いという特徴をもっている。ワイヤロープ８７…はスリーブ構造をしており、破損した場合、中間支柱８６を抜き取り新規なものと交換してワイヤロープ８７…を調整することで工事は完了するようになっている。
【００３５】  ところで、このワイヤロープ式防護柵には、図１９および図２０に示すように、内側層としてアラミド繊維や炭素繊維などの強化繊維布９１が長く被せられるとともに外側層（前後）として耐候性強化布９２が張設されている。９３は押さえ板で、両布９１，９２の中間支柱８６のある前後位置に対応して設けられ、図示しない止着具を介して押さえ付けられて固定されている。９４は補強防護パイプで、押さえ板９３の各前後に対応するように座板８５から伸びるように立設固定されていて防護柵の安全防護を図るようにしてある。
【００３６】  図２１は稲・りんご・梨などの果物や野菜などの農産物を台風や強風などの襲来から護るようにした付加的な提案例を示す。９５はポール、９６は引張アンカー、９７は強化繊維布（前）、９８は簡易フェンス（後）である。
図２２は農産物などを上からのあられや雹などの襲来から護るようにした付加的な提案例を示す。１０１はコーナー支柱、１０２は引張アンカー、１０３はメインワイヤー、１０４はアラミド繊維などによる強化繊維布である。
【符号の説明】
【００３７】  １，２…側壁  ３…出入口  ６…前方基盤  １５…止水シート  １６…シート主部  １７…下部舌片  ８ａ…シート端部受面  ８，９，１０，１８，１９…上固定手段  １２，１３，２２，２３，２４，２５…下固定手段。
【図１】
2020016136.tif 000003
【図２】
2020016136.tif 000004
【図３】
2020016136.tif 000005
【図４】
2020016136.tif 000006
【図５】
2020016136.tif 000007
【図６】
2020016136.tif 000008
【図７】
2020016136.tif 000009
【図８】
2020016136.tif 000010
【図９】
2020016136.tif 000011
【図１０】
2020016136.tif 000012
【図１１】
2020016136.tif 000013
【図１２】
2020016136.tif 000014
【図１３】
2020016136.tif 000015
【図１４】
2020016136.tif 000016
【図１５】
2020016136.tif 000017
【図１６】
2020016136.tif 000018
【図１７】
2020016136.tif 000019
【図１８】
2020016136.tif 000020
【図１９】
2020016136.tif 000021
【図２０】
2020016136.tif 000022
【図２１】
2020016136.tif 000023
【図２２】
2020016136.tif 000024